(57)【要約】【課題】  回転定位嵌合具を提供する。【解決手段】  主にサポートフレーム本体、定位部品を含む。該サポートフレーム本体は該定位部品に嵌設し、係合ロック部を設置する。該定位部品は調整ユニット、嵌合ユニットを含み、該定位部品の嵌合ユニットにも係合ロック部を設置する。該サポートフレーム本体の係合ロック部、該定位部品の係合ロック部を利用し物体を嵌合、固定し、Y軸を参考基準点としX軸方向に沿って該調整ユニットを回転させ、これにより該調整ユニットはY軸方向の往復移動を行う。こうして該定位部品の係合ロック部は嵌合する物体を緊密に固定或いは緩める。【選択図】  図  ５
2007019324.tif 000002
【特許請求の範囲】
【請求項１】
主にサポートフレーム本体、定位部品を含み、
該サポートフレーム本体は該定位部品に嵌設し、係合ロック部を設置し、
該定位部品は調整ユニット、嵌合ユニットを含み、該定位部品の嵌合ユニットにも係合ロック部を設置し、
該サポートフレーム本体の係合ロック部、該定位部品の係合ロック部を利用し物体を嵌合、固定し、Y軸を参考基準点としX軸方向に沿って該調整ユニットを回転させ、これにより該調整ユニットはY軸方向の往復移動を行い、こうして該定位部品の係合ロック部は嵌合する物体を緊密に固定或いは緩めることを特徴とする回転定位嵌合具。
【請求項２】
前記調整ユニット、前記嵌合ユニットは一体成型であることを特徴とする請求項１記載の回転定位嵌合具。
【請求項３】
前記調整ユニットには導入溝を設置することを特徴とする請求項１或いは２記載の回転定位嵌合具。
【請求項４】
前記調整ユニットはフランジを延伸することを特徴とする請求項１或いは２記載の回転定位嵌合具。
【請求項５】
前記導入溝は複数個の連続曲折構造を形成することを特徴とする請求項３記載の回転定位嵌合具。
【請求項６】
前記定位部品には弾性体を嵌設することを特徴とする請求項１或いは２記載の回転定位嵌合具。
【請求項７】
前記サポートフレーム本体は棒状構造を呈することを特徴とする請求項１記載の回転定位嵌合具。
【請求項８】
前記サポートフレーム本体は少なくとも１個の開口を設置することを特徴とする請求項１或いは２記載の回転定位嵌合具。
【請求項９】
前記嵌合ユニットは前記開口を通して前記調整ユニットを接合することを特徴とする請求項８記載の回転定位嵌合具。
【請求項１０】
前記サポートフレーム本体は前記開口の周辺において少なくとも１個の支持アームを延伸し、該支持アームは少なくとも１個の孔口を設置し、主軸を嵌合することを特徴とする請求項９記載の回転定位嵌合具。
【請求項１１】
前記主軸は前記調整ユニットに設置する導入溝に嵌入することを特徴とする請求項１０記載の回転定位嵌合具。
【請求項１２】
前記嵌合ユニットと前記サポートフレーム本体間には弾性体を設置することを特徴とする請求項１或いは２記載の回転定位嵌合具。
【請求項１３】
前記弾性体は挟持部を延伸し、これにより前記弾性体と前記嵌合ユニットの結合力は向上することを特徴とする請求項１２記載の回転定位嵌合具。
【請求項１４】
前記サポートフレーム本体は前記開口の周辺に少なくとも１個の支持アームを延伸し、該支持アームは少なくとも１個のフランジを形成することを特徴とする請求項９記載の回転定位嵌合具。
【請求項１５】
前記フランジは前記調整ユニットに設置する導入溝を結合することを特徴とする請求項１４記載の回転定位嵌合具。
【請求項１６】
前記嵌合ユニットと前記サポートフレーム本体間には弾性体を設置することを特徴とする請求項１５記載の回転定位嵌合具。
【請求項１７】
前記弾性体は挟持部を延伸し、前記弾性体と前記嵌合ユニットの結合力を向上させることを特徴とする請求項１６記載の回転定位嵌合具。
【発明の詳細な説明】
【技術分野】
【０００１】
本発明は一種の回転定位嵌合具に関する。特に一種のCPU及び散熱器を嵌合可能な回転定位嵌合具に係る。
【背景技術】
【０００２】
現代社会ではコンピュータなどIT製品は広く普及し、またその応用範囲も日に日に広汎になっている。一方、IT産業界は技術発展の迅速化を目指し、製品の演算速度の高速化、保存容量の増加へと発展を続けて来た。しかしこのため、現在のIT製品のパーツは高速運転時に高熱を発するようになっている。
コンピュータ本体の熱エネルギーでは、CPUが発生する熱量が大部分を占めるが、CPUの熱量の蓄積がその許容限度を超えると、コンピュータはフリーズしてしまう。しかも、電磁波の問題を解決するため、通常は該コンピュータ本体はケース内に封鎖されるが、これによってもCPUとその他の発熱パーツ（或いは部品）の熱エネルギーは発散されにくくなっており、これも重要問題となっている。
一般のCPUの散熱方式はおよそ上方に散熱器を設置する方式である。該散熱器の片側には若干のフィンを設置し、該散熱器の反対側（フィンを未設置側）は該CPUに接触し、熱エネルギーを該フィン端に伝導し、放射散熱或いはファンを増設することにより該熱エネルギーを迅速に散逸させている。
このため、CPUと散熱器間は緊密な接触状態を保持する必要があり、接触不良の状況があれば、熱抵抗が容易に増加し、散熱効果を大幅に低下させてしまう。
【０００３】
図１、２に示すように、CPUの散熱嵌合部品１は主に嵌合バー１１を含む。該嵌合バー１１の一端は縦方向に垂直部１１０を延伸し、該垂直部１１０の末端には貫通孔１１１を設置する。該貫通孔１１１は、CPU Cを積載する挿接台H片側の突起ブロック（図示なし）に嵌合固定する。該嵌合バー１１の反対端には挿入槽１１２を設置し、掛置部１２を嵌入する。該掛置部１２には  孔口１２１を設置し、可動軸Sにより操作部品O（該操作部品Oの偏心孔O１）と可動接続する。さらに、該操作部品Oを利用し、水平軸の参考方向に沿って回転させ、これにより該掛置部１２は垂直軸の参考方向に向かい移動し、該掛置部１２が具える貫通孔１２２は、該挿接台H反対側の突起ブロックH１に嵌合し、散熱器Rは該CPU C上に定位される。
【発明の開示】
【発明が解決しようとする課題】
【０００４】
公知構造には以下の欠点があった。
すなわち、公知CPU散熱嵌合部品は偏心孔が生じる固定力により散熱器を該CPUに固定するものであるが、操作部品は下デッドセンターを具えるため、CPU散熱嵌合部品の圧迫が容易でない。また該下デッドセンターによる嵌合力の不足は、落下或いは震動時において、力を受けた方向により外れや緩みを引起してしまい、さらに該CPU散熱嵌合部品の嵌合後、該操作部品は傾斜し易い。加えて散熱器とCPUは接触不良の恐れがあり、そのため熱抵抗を増加させてしまい、散熱効果が大幅に低下する。
本発明は上記構造の問題点を解決した回転定位嵌合具を提供するものである。
【課題を解決するための手段】
【０００５】
上記課題を解決するため、本発明は下記の回転定位嵌合具を提供する。
それは主に回転定位嵌合具を提供し、CPU及び散熱器を緊密に固定し、熱抵抗を低下させ、散熱効果を大幅に向上させることができ、
またその定位部品は予め設置する導入溝が通るルートに沿って回転、定位し、CPU及び散熱器に対する嵌合力を大幅に向上させることができ、
さらにそれは、定位部品に対する施力方向がCPUと散熱器に加える嵌合力方向の交差を運用し、落下や震動による外れや緩みを防止することができ、
加えてそれは、弾性部品の定位部品に対する結合を利用し、該定位部品は外力により揺動することはなく、
すなわちそれは主にサポートフレーム本体、定位部品を含み、
該サポートフレーム本体は該定位部品に嵌設し、係合ロック部を設置し、該定位部品は調整ユニット、嵌合ユニットを含み、該定位部品の嵌合ユニットにも係合ロック部を設置し、
該サポートフレーム本体の係合ロック部、該定位部品の係合ロック部を利用し物体を嵌合、固定し、Y軸を参考基準点としX軸方向に沿って該調整ユニットを回転させ、これにより該調整ユニットはY軸方向の往復移動を行い、こうして該定位部品の係合ロック部は嵌合する物体を緊密に固定或いは緩めることを特徴とする回転定位嵌合具である。
【発明の効果】
【０００６】
上記のように、本発明は回転定位嵌合具を提供しCPU及び散熱器を緊密に固定することにより熱抵抗を低下させ、また本発明の定位部品は予め設置する導入溝が通るルートに沿って回転、定位するため、CPU及び散熱器に対する嵌合力を大幅に向上させることができる。さらに定位部品に対する施力方向がCPUと散熱器に加える嵌合力方向の交差を運用し、落下や震動による外れや緩みを防止することができ、また弾性部品の定位部品に対する結合を利用し、定位部品が外力により揺動する恐れを払拭することができる。
【発明を実施するための最良の形態】
【０００７】
図３、４、５、６に示すように、本発明の回転定位嵌合具２は主にサポートフレーム本体２１、定位部品２２を含む。
該サポートフレーム本体２１は該定位部品２２に嵌設する。該サポートフレーム本体２１には係合ロック部２１０を設置し、これによりCPU３を積載する挿接台４の一端に設置する突起ブロック４１（図示なし）を嵌設する。該サポートフレーム本体２１は水平に該CPU３の散熱器５片側に密着し、該散熱器５の反対側に向かい延伸し、該散熱器５を該CPU３に密着させる。こうして、該散熱器５により該CPU３作動時に発生する熱エネルギーを導出可能となる。
該定位部品２２は該サポートフレーム本体２１の反対側（該係合ロック部２１０に相対）に嵌設する。該定位部品２２には係合ロック部２２２１を設置し、該挿接台４により該係合ロック部２１０の反対端の突起ブロック４１に相対し嵌設し、該定位部品２２を回転させることにより該係合ロック部２２２１を駆動し、該散熱器５と該CPU３を緊密に接触させる。こうして、該散熱器５と該CPU３間の熱抵抗を大幅に低下させ、散熱効果を向上させる。さらには、該定位部品２２の施力方向は該CPU３及び該散熱器５に加える嵌合力方向と交差を形成し、物体（CPU３、挿接台４、散熱器５など）に対する嵌合作用を強化することができる。すなわち、該定位部品２２を調整することにより、該係合ロック部２２２１は該物体を相互に緊密に結合（接触、接合、密着など）させ、該物体の落下、震動による外れや緩みを防止することができる。
【０００８】
最適実施例においては、該定位部品２２は該調整ユニット２２１、嵌合ユニット２２２により構成する（該調整ユニット２２１、該嵌合ユニット２２２は一体成型とすることもできる）。該調整ユニット２２１には導入溝２２１０を設置し、外に向かってフランジ２２１１を延伸し、使用者はこれを回転させる。
該サポートフレーム本体２１もまた棒状構造（図参照）で、少なくとも１個の開口２１１を設置する（該サポートフレーム本体２１のY軸参考方向に相対し延伸する係合ロック部２１０の反対端に設置可能）。こうして、該嵌合ユニット２２２は該開口２１１に嵌入することにより、該調整ユニット２２１を（または該サポートフレーム本体２１は該開口２１１が該定位部品２２に嵌設することにより）接合する。
【０００９】
さらに、該サポートフレーム本体２１は該開口２１１の周辺において少なくとも１個の支持アーム２１２を延伸する。該支持アーム２１２は少なくとも１個の孔口２１２０を設置し、主軸２３を嵌入する。該主軸２３は該導入溝２２１０を通過し、該調整ユニット２２１を嵌接し、これにより該調整ユニット２２１を回すと該調整ユニット２２１は該導入溝２２１０により該主軸２３のルートに対応し、該定位部品２２に対する施力を形成し、該嵌合ユニット２２２が設置する係合ロック部２２２１を連動する。こうして該物体を緊密に嵌合し、或いは緩め、しかも該施力の方向は該定位部品２２が該物体に加える嵌合力の方向と相互に交差する。また、使用者はY軸を参考基準点とし、X軸により時計回り或いは反時計回りの方向で該調整ユニット２２１を回す。こうして該調整ユニット２２１は該主軸２３及び該導入溝２２１０の通るルートによりY軸方向へと往復移動を行う。これにより該嵌合ユニット２２２の係合ロック部２２２１を連動し、該CPU３を積載する挿接台４の一端を緊密に圧迫或いは緩めることにより、複数の物体（CPU３、挿接台４、散熱器５など）を相互に緊密に接触（或いは密着、嵌合）或いは分離する。また、該導入溝２２１０は曲折形状を呈するため、該調整ユニット２２１を該導入溝２２１０末端（該末端は陥没状とすることもできる）まで回転させると、定位作用を生じる。これにより、該挿接台４の突起ブロック４１の係合ロック部２２２１及び該嵌合ユニット２２２の係合ロック部２２０を嵌設、固定し、こうして該挿接台４、該CPU３、該散熱器５など（いわゆる物体）を緊密に接触させ、落下や震動によっても外れや緩みの発生を防止することができる。
【００１０】
次に図７、８に示すように、本発明の回転定位嵌合具２の第二実施例では、該定位部品２２は弾性体２４に嵌設し、該嵌合ユニット２２２と該サポートフレーム本体２１間に該弾性体２４（弓形、C型、U型、或いは他の形状とする）を設置する。該弾性体２４はそれぞれ該嵌合ユニット２２２と該サポートフレーム本体２１を押上げ、該嵌合ユニット２２２の安定性を向上させ、該嵌合ユニット２２２が震動を受けて揺らぐことを防止する。しかも、該嵌合ユニット２２２の該挿接台４の該突起ブロック４１に対する定位を増強することができる。
【００１１】
続いて図９、１０に示すように、本発明回転定位嵌合具２の第三実施例では、該弾性体２４は挟持部２４０を延伸し、該嵌合ユニット２２２を挟持し、該弾性体２４と該嵌合ユニット２２２の結合力を向上させることができる。
さらに図１１、１２に示すように、本発明回転定位嵌合具２の第四実施例では、該支持アーム２１２は少なくとも１個のフランジ２１２１を形成するため、該支持アーム２１２は該孔口２１２０を設置し、該主軸２３を嵌合する必要はない。すなわち、該フランジ２１２１の該主軸２３との代替作用を利用し、該フランジ２１２１は該導入溝２２１０が通るルートに対応し回転し、該調整ユニット２２１を移動させ、物体を定位する作用を発揮することができる。
【００１２】
次に図１３、１４に示すように、本発明回転定位嵌合具２の第五実施例では、該支持アーム２１２は少なくとも１個のフランジ２１２１を形成するため、該孔口２１２０を設置し該主軸２３を嵌合する必要がない。すなわち、該フランジ２１２１の該主軸２３との代替作用を利用し、該フランジ２１２１は該導入溝２２１０が通るルートに対応し回転し、該調整ユニット２２１を移動させ、物体を定位する作用を発揮することができる。
さらに図１３、１４に示すように、本発明回転定位嵌合具２の第六実施例では、該支持アーム２１２は少なくとも１個のフランジ２１２１を形成するため、該孔口２１２０を設置し該主軸２３を嵌合する必要がない。すなわち、該フランジ２１２１の該主軸２３との代替作用を利用し、該フランジ２１２１は該導入溝２２１０（該フランジ２１２１は該調整ユニット２２１の導入溝２２１０に接合する）が通るルートに対応し回転し、該調整ユニット２２１を移動させ、物体を定位する作用を発揮することができる。
【００１３】
上記各実施例において、該嵌合ユニット２２２の片側には突起棒２２２０（図１７参照）を形成し、該嵌合部品２２２の応力を増加することができる。
さらに、該導入溝２２１０（図１８参照）は複数個の連続曲折構造を形成し、かつその末端は陥没し、該調整ユニット２２１に対して定位作用を生じる。これにより該挿接台４、該CPU３、該散熱器５などの物体を相互に緊密に結合させることができる。
【図面の簡単な説明】
【００１４】
【図１】公知のCPUの散熱嵌合部品の構造指示図である。
【図２】公知のCPUの散熱嵌合部品の構造指示図である。
【図３】本発明第一最適実施例の構造指示図である。
【図４】本発明第一最適実施例の構造指示図である。
【図５】本発明第一最適実施例の構造指示図である。
【図６】本発明第一最適実施例の構造指示図である。
【図７】本発明第二最適実施例の構造指示図である。
【図８】本発明第二最適実施例の構造指示図である。
【図９】本発明第三最適実施例の構造指示図である。
【図１０】本発明第三最適実施例の構造指示図である。
【図１１】本発明第四最適実施例の構造指示図である。
【図１２】本発明第四最適実施例の構造指示図である。
【図１３】本発明第五最適実施例の構造指示図である。
【図１４】本発明第五最適実施例の構造指示図である。
【図１５】本発明第六最適実施例の構造指示図である。
【図１６】本発明第六最適実施例の構造指示図である。
【図１７】嵌合ユニットの構造指示図である。
【図１８】調整ユニットの導入溝の構造指示図である。
【符号の説明】
【００１５】
１  散熱嵌合部品
１１  嵌合バー
１１１  垂直部
１１１  貫通孔
１１２  挿入槽
１２  掛置部
１２１  孔口
１２２  貫通孔
C  CPU
H  挿接台
H１  突起ブロック
O  操作部品
O１  偏心孔
S  可動軸
R  散熱器
２  回転定位嵌合具
２１  サポートフレーム本体
２１０  係合ロック部
２１１  開口
２１２  支持アーム
２１２０  孔口
２１２１  フランジ
２２  定位部品
２２１  調整ユニット
２２１０  導入溝
２２１１  フランジ
２２２  嵌合ユニット
２２２０  突起棒
２２２１  係合ロック部
２３  主軸
２４  弾性体
２４０  挟持部
３  CPU
４  挿接台
４１  突起ブロック
５  散熱器
【図１】
2007019324.tif 000003
【図２】
2007019324.tif 000004
【図３】
2007019324.tif 000005
【図４】
2007019324.tif 000006
【図５】
2007019324.tif 000007
【図６】
2007019324.tif 000008
【図７】
2007019324.tif 000009
【図８】
2007019324.tif 000010
【図９】
2007019324.tif 000011
【図１０】
2007019324.tif 000012
【図１１】
2007019324.tif 000013
【図１２】
2007019324.tif 000014
【図１３】
2007019324.tif 000015
【図１４】
2007019324.tif 000016
【図１５】
2007019324.tif 000017
【図１６】
2007019324.tif 000018
【図１７】
2007019324.tif 000019
【図１８】
2007019324.tif 000020